【手続補正書】
【提出日】平成18年7月4日(2006.7.4)
【手続補正１】
【補正対象書類名】特許請求の範囲
【補正対象項目名】全文
【補正方法】変更
【補正の内容】
【特許請求の範囲】
【請求項１】
データを格納する複数の記憶デバイスと、
前記複数の記憶デバイスに対するデータの格納を制御する記憶デバイス制御部と、
前記記憶デバイス制御部に接続される接続部と、
前記接続部を介して前記記憶デバイス制御部に接続されるとともに、自ディスクアレイ装置の外部の第一のネットワークとも接続され、前記第一のネットワークを介してファイルデータのやり取りを行う第一の通信制御部と
を有し、
前記第一の通信制御部は、
前記第一のネットワークを介してやり取りされるファイルデータと、前記記憶デバイス制御部へ格納される態様のデータと、を対応付ける第一のプロセッサと、
前記第一のプロセッサの要求に応じてデータを前記複数の記憶デバイスに転送する一方、前記第一のプロセッサの要求に応じて、自ディスクアレイ装置の障害に関する情報を、前記複数の記憶デバイスから読み出して、前記第一のプロセッサに対して転送する第二のプロセッサと
を有することを特徴とするディスクアレイ装置。
【請求項２】
請求項１に記載のディスクアレイ装置において、
前記第一の通信制御部と接続され、前記第二のプロセッサに対して前記自ディスクアレイ装置の障害に関する情報を要求する管理端末
を有することを特徴とするディスクアレイ装置。
【請求項３】
請求項２に記載のディスクアレイ装置において、
前記第二のプロセッサは、
前記自ディスクアレイ装置の障害に関する情報の要求を前記管理端末から受けた場合、前記自ディスクアレイ装置の障害に関する情報の要求を、前記第一のプロセッサに通知する
ことを特徴とするディスクアレイ装置。
【請求項４】
請求項３に記載のディスクアレイ装置において、
前記第一のプロセッサは、
前記自ディスクアレイ装置の障害に関する情報の要求に応じて、前記第二のプロセッサに対して、前記複数の記憶デバイスに記録されている前記自ディスクアレイ装置の障害に関する情報を読み出して、前記第一のプロセッサに対して転送するように要求する
ことを特徴とするディスクアレイ装置。
【請求項５】
請求項４に記載のディスクアレイ装置において、
前記第二のプロセッサは、
前記第一のプロセッサの読み出し要求に応じて、前記接続部を介して前記記憶デバイス制御部に対して、前記自ディスクアレイ装置の障害に関する情報を転送するように要求する
ことを特徴とするディスクアレイ装置。
【請求項６】
請求項５に記載のディスクアレイ装置において、
前記記憶デバイス制御部は、
前記複数の記憶デバイスから前記自ディスクアレイ装置の障害に関する情報を読み出し、前記接続部を介して前記第二のプロセッサに対して転送する
ことを特徴とするディスクアレイ装置。
【請求項７】
請求項６に記載のディスクアレイ装置において、
前記第二のプロセッサは、
前記記憶デバイス制御部から送られた前記自ディスクアレイ装置の障害に関する情報を、前記第一のプロセッサに対して転送する
ことを特徴とするディスクアレイ装置。
【請求項８】
請求項７に記載のディスクアレイ装置において、
前記第一のプロセッサは、
前記第二のプロセッサから送られた前記自ディスクアレイ装置の障害に関する情報を、前記管理端末に対して転送する
ことを特徴とするディスクアレイ装置。
【請求項９】
請求項１に記載のディスクアレイ装置において、
前記接続部を介して前記記憶デバイス制御部に接続されるとともに、自ディスクアレイ装置の外部の第二のネットワークとも接続され、前記第二のネットワークを介してファイルデータのやり取りを行う第二の通信制御部
を有し、
前記第二の通信制御部は、
前記第二のネットワークを介してやり取りされるファイルデータと、前記記憶デバイス制御部へ格納される態様のデータと、を対応付ける第三のプロセッサと、
前記第三のプロセッサの要求に応じてデータを転送する一方、前記第三のプロセッサの要求に応じて、前記第三のプロセッサの障害に関する情報を、前記記憶デバイス制御部に対して転送する第四のプロセッサと
を有することを特徴とするディスクアレイ装置。
【請求項１０】
請求項９に記載のディスクアレイ装置において、
前記第四のプロセッサは、
前記第二のプロセッサに対して、前記第三のプロセッサに障害が発生したことを通知するものであり、
前記第二のプロセッサは、
前記第三のプロセッサに障害が発生したことを前記第一のプロセッサに通知するものである
ことを特徴とするディスクアレイ装置。
【請求項１１】
請求項１０に記載のディスクアレイ装置において、
前記第二のプロセッサは、
前記第一のプロセッサの要求に応じて、前記複数の記憶デバイスに記録されている前記第三のプロセッサの障害に関する情報を、前記第一のプロセッサに対して送信するものである
ことを特徴とするディスクアレイ装置。
【請求項１２】
データを格納する複数の記憶デバイスと、前記複数の記憶デバイスに対するデータの格納を制御する記憶デバイス制御部と、前記記憶デバイス制御部に接続される接続部と、前記接続部を介して前記記憶デバイス制御部に接続されるとともに、自ディスクアレイ装置の外部の第一のネットワークとも接続され、前記第一のネットワークを介してファイルデータのやり取りを行う第一の通信制御部とを有するディスクアレイ装置の障害情報の制御方法であって、
前記第一のプロセッサにおいて、前記第一のネットワークを介してやり取りされるファイルデータと、前記記憶デバイス制御部へ格納される態様のデータと、の対応付けを行う第一のステップと、
前記第一のプロセッサにおいて、前記記憶デバイス制御部へ格納される態様のデータを前記第二のプロセッサに転送する第二のステップと、
前記第一のプロセッサにおいて、自ディスクアレイ装置の障害に関する情報を前記第二のプロセッサに対して要求する第三のステップと、
前記第二のプロセッサにおいて、前記第一のプロセッサから送られるデータを前記接続部を介して前記複数の記憶デバイスに転送する第四のステップと、
前記第二のプロセッサにおいて、前記第一のプロセッサの要求に応じて、前記自ディスクアレイ装置の障害に関する情報を、前記複数の記憶デバイスから読み出して、前記第一のプロセッサに対して転送する第五のステップと
を実行することを特徴とするディスクアレイ装置の障害情報の制御方法。
【請求項１３】
請求項１２に記載のディスクアレイ装置の障害情報の制御方法において、
前記第一の通信制御部と接続され、前記第二のプロセッサに対して前記自ディスクアレイ装置の障害に関する情報を要求する管理端末とを有するものであり、
前記第五のステップでは、
前記第二のプロセッサにおいて、前記自ディスクアレイ装置の障害に関する情報の要求を前記管理端末から受けた場合、前記自ディスクアレイ装置の障害に関する情報の要求を、前記第一のプロセッサに通知することを特徴とするディスクアレイ装置の障害情報の制御方法。
【請求項１４】
請求項１３に記載のディスクアレイ装置の障害情報の制御方法において、
前記第三のステップでは、
前記第一のプロセッサにおいて、前記自ディスクアレイ装置の障害に関する情報の要求に応じて、前記第二のプロセッサに対して、前記複数の記憶デバイスに記録されている前記自ディスクアレイ装置の障害に関する情報を読み出して、前記第一のプロセッサに対して転送するように要求することを特徴とするディスクアレイ装置の障害情報の制御方法。
【請求項１５】
請求項１４に記載のディスクアレイ装置の障害情報の制御方法において、
前記第五のステップでは、
前記第二のプロセッサにおいて、前記第一のプロセッサの読み出し要求に応じて、前記接続部を介して前記記憶デバイス制御部に対して、前記自ディスクアレイ装置の障害に関する情報を転送するように要求することを特徴とするディスクアレイ装置の障害情報の制御方法。
【請求項１６】
請求項１５に記載のディスクアレイ装置の障害情報の制御方法において、
前記第五のステップでは、
前記記憶デバイス制御部において、前記複数の記憶デバイスから前記自ディスクアレイ装置の障害に関する情報を読み出し、前記接続部を介して前記第二のプロセッサに対して転送することを特徴とするディスクアレイ装置の障害情報の制御方法。
【請求項１７】
請求項１６に記載のディスクアレイ装置の障害情報の制御方法において、
前記第五のステップでは、
前記第二のプロセッサにおいて、前記記憶デバイス制御部から送られた前記自ディスクアレイ装置の障害に関する情報を、前記第一のプロセッサに対して転送することを特徴とするディスクアレイ装置の障害情報の制御方法。
【請求項１８】
請求項１７に記載のディスクアレイ装置において、
前記第五のステップでは、
前記第一のプロセッサにおいて、前記第二のプロセッサから送られた前記自ディスクアレイ装置の障害に関する情報を、前記管理端末に対して転送することを特徴とするディスクアレイ装置の障害情報の制御方法。
【請求項１９】
請求項１２に記載のディスクアレイ装置の障害情報の制御方法において、
前記接続部を介して前記記憶デバイス制御部に接続されるとともに、自ディスクアレイ装置の外部の第二のネットワークとも接続され、前記第二のネットワークを介してファイルデータのやり取りを行う第二の通信制御部を有し、
前記第二の通信制御部は、第三のプロセッサと第四のプロセッサとを有するものであり、
前記第一のステップでは、
前記第三のプロセッサにおいて、前記第二のネットワークを介してやり取りされるファイルデータと、前記記憶デバイス制御部へ格納される態様のデータと、の対応付けを行い、
前記第二のステップでは、
前記第三のプロセッサにおいて、前記記憶デバイス制御部へ格納される態様のデータを前記第四のプロセッサに転送し、
前記第三のステップでは、
前記第三のプロセッサにおいて、当該第三のプロセッサの障害に関する情報を前記第四のプロセッサに対して要求し、
前記第四のステップでは、
前記第四のプロセッサにおいて、前記第三のプロセッサから送られるデータを前記接続部を介して前記複数の記憶デバイスに転送し、
前記第五のステップでは、
前記第四のプロセッサにおいて、前記第三のプロセッサの要求に応じて、前記第三のプロセッサの障害に関する情報を、前記記憶デバイス制御部に転送する
ことを特徴とするディスクアレイ装置の障害情報の制御方法。
【請求項２０】
請求項１９に記載のディスクアレイ装置の障害情報の制御方法において、
前記第五のステップでは、
前記第四のプロセッサにおいて、前記第二のプロセッサに対して、前記第三のプロセッサに障害が発生したことを通知し、
前記第二のプロセッサにおいて、前記第三のプロセッサに障害が発生したことを、前記第一のプロセッサに対して通知し、前記第一のプロセッサの要求に応じて、前記複数の記憶デバイスに記録されている前記第三のプロセッサの障害に関する情報を、前記第一のプロセッサに対して転送する
ことを特徴とするディスクアレイ装置の障害情報の制御方法。